(57)【要約】      （修正有）【課題】高さ方向のファイバねじれを発生させることなく、光ファイバ長に関する利用者側の様々な要求に柔軟に対応できる光トランシーバを提供することである。【解決手段】光トランシーバは、送信用光ファイバの余長部分を巻きつけて送信用光ファイバの長さを調節する第１の巻き付け部、及び、受信用ファイバの余長部分を巻きつけて受信用ファイバの長さを調節する第２の巻き付け部を備え、第１の巻き付け部と第２の巻き付け部は光トランシーバ内の同一平面上に設置されていることを特徴とする。【選択図】図１
2018146868.tif 000002
【特許請求の範囲】
【請求項１】
送信用光ファイバの余長部分を巻きつけて前記送信用光ファイバの長さを調節する第１の巻き付け部、及び、受信用ファイバの余長部分を巻きつけて前記受信用ファイバの長さを調節する第２の巻き付け部を備え、前記第１の巻き付け部と前記第２の巻き付け部は光トランシーバ内の同一平面上に設置されていることを特徴とする光トランシーバ。
【請求項２】
送信用光ファイバの余長部分及び受信用ファイバの余長部分を巻きつけて前記送信用光ファイバの長さを調節する第３の巻き付け部が設置されていることを特徴とする光トランシーバ。
【請求項３】
前記第１、第２、第３の巻き付け部は、前記送信用または前記受信用光ファイバを巻き付ける巻き付け軸、前記巻付け軸の上面に形成された光ファイバ収容ボビンを備える請求項１または２に記載の光トランシーバ。
【発明の詳細な説明】
【技術分野】
【０００１】
本発明は、光トランシーバに関し、特に光ファイバの余長を収納できる光トランシーバに関する。
【背景技術】
【０００２】
近年の通信トラフィック増大に伴い、光通信システムの普及が進んでいる。システム普及に伴い光トランシーバは、顧客の様々な要求に応える必要があるが、顧客ごとの個別設計では設計資産の流用や部品共通化が困難となる。
【０００３】
現在、光通信システムに使用されるＴＲｘは、ＭＳＡ（Ｍａｌｔｉ  Ｓｏｕｒｃｅ  Ａｇｒｅｅｍｅｎｔ）やＯＩＦ（Optical  Internetｗｏｒｋｉｎｇ  Ｆｏｒｕｍ）によって製品のパッケージサイズ、ビン配置が定められている。ＭＳＡでは挿抜可能なＣＦＰ（１００Ｇｂ／ｓ  Ｆｏｒｍ  Ｆａｃｔｏｒ  Ｐｌｕｇｇａｂｌｅ）、ＳＦＰ（Ｓｍａｌｌ  Ｆｏｒｍ  Ｆａｃｔｏｒ  Ｐｌｕｇｇａｂｌｅ）、ＸＦＰ（１０Ｇｂ／ｓ  Ｆｏｒｍ  Ｆａｃｔｏｒ  Ｐｌｕｇｇａｂｌｅ）、利用者の装置に半田実装するＳＦＦ（Ｓｍａｌｌ  Ｆｏｒｍ  Ｆａｃｔｏｒ）が定められ、ＯＩＦでは１６８ｐｉｎの電気コネクタ及びネジにて利用者の装置に実装する１００ＧＬＨ（１００Gb／s  Long Haul）が定められている。
【０００４】
これらのなかでＳＦＦや１００ＧＬＨについては光ファイバが搭載されているＴＲｘが一般的であるが、その光ファイバの長さは利用者側の要求が様々であり、要求ごとにスプライスによるファイバ長調整が必要である。つまり要求された長さに合わせて光ファイバを切断し、切断面を相手の光ファイバと接続していた。ＴＲｘ供給者はＴＲｘの製造工程において、各ＴＲｘ毎に煩雑なファイバスプライスを行っており、製造工程複雑化の一因となっている。一方ＴＲｘ利用者は、ファイバ長を自由に変えることができないため、ＴＲｘの実装位置を自由に選択することができない。
【０００５】
特許文献１には、光ファイバ収納ボビンを備えた光ファイバ収納型光トランシーバが開示されている。この特許文献１では、光ファイバ収納ボビン７，８を上下に重ねて実装し、上の位置にある光ファイバ収納ボビン７に送信側光ファイバ５を巻き付け、下の位置にある光ファイバ収納ボビン８に受信側光ファイバ６を巻き付けている。
【先行技術文献】
【特許文献】
【０００６】
【特許文献１】特開２００３−２７６９５０号公報
【発明の概要】
【発明が解決しようとする課題】
【０００７】
特許文献１では光ファイバ収納ボビン７，８を上下に重ねて実装している。しかしこれでは高さ方向のファイバねじれが発生する危険がある。例えば光トランシーバ筐体１内の底面に置かれた送信側光ファイバ５は上の位置（高い位置）にある光ファイバ収納ボビン７に巻き付けようとすると、送信側光ファイバ５は、筐体底面から高い位置まで上がる必要がある。そのため高さ方向のファイバねじれが発生することがある。
【０００８】
本発明の目的は、高さ方向のファイバねじれを発生させることなく、光ファイバ長に関する利用者側の様々な要求に柔軟に対応できる光トランシーバを提供することである。
【課題を解決するための手段】
【０００９】
本発明は、送信用光ファイバの余長部分を巻きつけて前記送信用光ファイバの長さを調節する第１の巻き付け部、及び、受信用ファイバの余長部分を巻きつけて前記受信用ファイバの長さを調節する第２の巻き付け部を備え、前記第１の巻き付け部と前記第２の巻き付け部は光トランシーバ内の同一平面上に設置されていることを特徴とする光トランシーバである。
【００１０】
また本発明は、送信用光ファイバの余長部分及び受信用ファイバの余長部分を巻きつけて前記送信用光ファイバの長さを調節する第３の巻き付け部が設置されていることを特徴とする光トランシーバである。
【発明の効果】
【００１１】
本発明の光トランシーバは、高さ方向のファイバねじれを発生させることなく、光ファイバ長に関する利用者側の様々な要求に柔軟に対応できる。
【図面の簡単な説明】
【００１２】
【図１】本発明の第１の実施形態の光トランシーバを示す平面図である。
【図２】本発明の第１の実施形態の巻き付け部を示す斜視図である。
【図３】本発明の第２の実施形態を示す平面図である。
【発明を実施するための形態】
【００１３】
（第１の実施形態）
図１を用いて本発明の第１の実施形態を説明する。
（構成の説明）
図１は１００ＧＬＨ光トランシーバＴＲｘ１００の構成を示す模式的平面図である。ディジタル信号処理ＩＣ（Integrated  Circuit）３０１、波長可変光源１０１、光変調器２０１、光変調器３０３、光受信器２０２、波長可変光源１０２、制御ＩＣ３０２、光ファイバ４０１、光ファイバ４０２、巻き付け部５０１および巻き付け部５０２、を備える。
【００１４】
ディジタル信号処理ＩＣ３０１はユーザーからの高速電気信号および光受信器からの高速電気信号をディジタル処理して後段へ送る。波長可変光源１０１は光信号のもととなる光を発生する。光変調器２０１高速電気信号を光信号に変換する。光変調器駆動ＩＣ３０３は光変調器２０１を電気信号で駆動する。光受信器２０２は光ファイバ４０からの光信号を電気信号に変換する。波長可変光源１０２は受光した光信号をコヒーレント受信するための光源である。制御ＩＣ３０２はこれらの波長可変光源１０１、１０２を制御する。光ファイバ４０１は光変調器２０１から出力された光信号をＴＲｘ１００の外部へ送り出す。光ファイバ４０２はＴＲｘ１００外からの光信号を光受信器２０２へ送り出す。
【００１５】
巻き付け部５０１は送信用光ファイバ４０１の余長部分を巻きつけて長さを調節する。また巻き付け部５０２は受信光ファイバの余長部分を巻きつけて受信用光ファイバ４０２の長さを調節する。巻き付け部５０１と巻き付け部５０２は重ねずに光トランシーバ内の同一平面上に実装する。
【００１６】
巻き付け部５０１，５０２は、図２に示すように、巻き付け軸と光ファイバ収容ボビンで構成する。ＴＲｘ１００の筐体１５０の下面の内側に円柱形の巻き付け軸６０１、６０２を設け、巻き付け軸と中心が一致した円板である光ファイバ収容ボビン７０１、７０２を設ける。巻き付け軸６０１、６０２は筐体に固定し、光ファイバ収容ボビン７０１、７０２はそれぞれ巻き付け軸６０１、６０２の上面に固定する。
【００１７】
巻き付け軸６０１、６０２は、巻き付けた送信側、受信側の光ファイバが許容曲げ半径を超えない程度の半径を持たせる。また光ファイバ収容ボビン７０１、７０２の直径は、光ファイバを巻き付けていって、ＴＲｘ１００の筐体内に収容されていて隣接する他の機器（図１では光変調器２０１、光受信器２０２、筐体内壁等）や他の配線等の邪魔にならないように設定する。
（動作の説明）
次に、図１を参照して本実施形態の動作を説明する。
【００１８】
ユーザー側へ光信号を送り出す光ファイバ４０１の最短距離をＬ１、最長距離をＬ２とした場合、ＴＲｘ１００の供給者はＬ２の光ファイバを用意し、ＴＲｘ１００内部に設置し製造する。一般的にＴＲｘに利用される光ファイバの最小曲げ半径は現状１５ｍｍであるため、この点を考慮して巻き付け部５０１の径、設置場所を設計する。ユーザー側からＴＲｘ１００に入光させる光ファイバの最短距離をＬ３、最長距離をＬ４とした場合も同様である。
【００１９】
送信側の余長処理は、光変調器２０１の出力に接続された光ファイバを、図１の破線矢印の方向に巻き付け部５０１に巻き付けて長さをＬ１からＬ２の範囲で調整し、適切な長さになったら光ファイバ４０１としてＴＲｘ１００から出力させる。
【００２０】
同様に、受信側の余長処理は、入力した光ファイバ４０２を、図１の破線矢印の方向に巻き付け部５０２に巻き付けて長さをＬ３からＬ４の範囲で調整し、適切な長さになったら光受信器２０２に入力させる。
（効果の説明）
本実施形態では巻き付け部５０１と巻き付け部５０２は重ねていないので、高さ方向のファイバねじれを発生させることがない。近年ではファイバ最小曲げ半径が小さくなっており、現状では上述のように１５ｍｍ程度である。光トランシーバの筐体内で同一平面上に実装することは充分に可能である。
【００２１】
巻き付け部５０１，５０２を設置することで、供給者側は一定のファイバ長（本実施形態ではＬ２及びＬ４）だけ準備すれば、様々な顧客要求に応えることができる。それとともに部品点数を削減することができる。また煩雑な組立工程のひとつであるファイバスプライスが不必要となり、工数が削減できる。一方利用者側はファイバ長を気にすることなく装置内ＴＲｘ実装位置を自由に設計することが可能となるうえに、型式が異なる装置にも同じＴＲｘを利用することが可能となる。
（第２の実施形態）
第１の実施形態では、ＴＲｘ内に送信側と受信側にそれぞれ巻き付け部５０１，５０２を設置している。しかし図３のように共通の巻き付け部８０１を１つだけ設け、それに送信用光ファイバ、受信用光ファイバの両方を巻き付けるようにしてもよい。
【００２２】
例えばまず送信側光ファイバの余長部を巻き付け、その後受信側光ファイバの余長部を巻き付けるなどの方法で、一つの巻き付け部８０１に巻き付ける。このようにすれば、高さ方向のファイバねじれを発生させることなく、しかも、一つの巻き付け部で送受信光ファイバの余長処理を行うことができる。なお巻き付け部８０１には送受信の光ファイバを両方とも巻き付けることを考慮し、巻き付け部５０１，５０２単独よりも径を大きくすると良い。また受信側光ファイバを送信側光ファイバより先に巻き付けてもよいことは言うまでもない。
【００２３】
後から巻き付ける光ファイバは既に巻き付けられた光ファイバを乗り越えていくが、乗り越えるのは光ファイバ一本分でしかなく、乗り越える高さは小さい。特許文献１のように、受信側光ファイバが、送信側光ファイバ巻き付けボビンの高さを上がる必要がない。従って本実施形態においても高さ方向のファイバねじれはほぼ発生しない。
（他の実施形態）
巻き付け部５０１、５０２、８０１に、一般的な巻尺と同様のストッパ機能を付ければ、送信側はＬ１〜Ｌ２の範囲内、受信側はＬ３〜Ｌ４の範囲内でファイバをストップさせることができる。
【００２４】
また上述の実施形態では巻き付け部は円形であるが、楕円形、陸上のトラック状（２つの直線を半円で結合した形状）等でもよい。
【符号の説明】
【００２５】
１０１、１０２    波長可変光源
１５０    筐体
２０１    光変調器
２０２    光受信器
３０１    ディジタル信号処理ＩＣ
３０２    制御ＩＣ
３０３    光変調器駆動ＩＣ
４０１、４０２    光ファイバ
５０１、５０２、    巻き付け部
６０１、６０２    巻き付け軸
７０１、７０２    光ファイバ収容ボビン
８０１    巻き付け部
【図１】
2018146868.tif 000003
【図２】
2018146868.tif 000004
【図３】
2018146868.tif 000005